(57)【要約】【課題】蓋体に簡単に取付けることができるとともに、接着剤等を使用しなくても強固に蓋体に取り付けられて外力が作用しても外れることのない化粧カバー、及び保護カバーの配設構造を提供する。【解決手段】基台２１と蓋体２５とからなり複数の該蓋体２５が長さ方向に連設され内部に配線・配管材を収容して保護する保護カバー２０を用いた配線・配管材の配設路において、長さ方向に隣り合う二つの蓋体２５の端部間の隙間２５Ｓを隠蔽する化粧カバー１０であって、これら二つの蓋体２５の互いに近接する側の端部間及びそれら両端部の外面を覆うカバー本体１１と、カバー本体１１の裏面に設けられ、蓋体２５の端部に長さ方向から掛け止めされて蓋体２５の端部をカバー本体１１とで挟持する掛止部１２とで形成した。【選択図】図６
2015148327.tif 000002
【特許請求の範囲】
【請求項１】
基台と蓋体とからなり複数の該蓋体が長さ方向に連設され内部に配線・配管材を収容して保護する保護カバーを用いた該配線・配管材の配設路において、長さ方向に隣り合う二つの該蓋体の端部間の隙間を隠蔽する化粧カバーであって、
前記二つの蓋体の互いに近接する側の端部間及びそれら両端部の外面を覆うカバー本体と、
該カバー本体の裏面に設けられ、前記蓋体の端部に長さ方向から掛け止めされて該蓋体の端部を前記カバー本体とで挟持する掛止部と、
を備えたことを特徴とする化粧カバー。
【請求項２】
前記掛止部は、先端が幅方向の中央部において長さ方向に突出する凸形状に形成されていることを特徴とする請求項１に記載の化粧カバー。
【請求項３】
基台と蓋体とからなり内部に配線・配管材を収容して保護する保護カバーの配設構造であって、
複数の前記蓋体が長さ方向に連設され、
長さ方向に隣り合う二つの前記蓋体の端部間に、請求項１または請求項２に記載の化粧カバーが取着されていることを特徴とする保護カバーの配設構造。
【請求項４】
前記隣り合う二つの蓋体の端部相互の間隔は、前記化粧カバーの掛止部の長さ方向の寸法より小さいことを特徴とする請求項３に記載の保護カバーの配設構造。
【請求項５】
複数の前記基台が長さ方向に連設されており、
該基台の連設部の継ぎ目と前記蓋体の連設部の継ぎ目とが長さ方向において異なる部位に配置されていることを特徴とする請求項３または請求項４に記載の保護カバーの配設構造。
【発明の詳細な説明】
【技術分野】
【０００１】
本発明は、内部に配線・配管材を収容して保護する保護カバーの蓋体を長さ方向に連設するに際して、蓋体同士の隙間を隠蔽するために用いられる化粧カバー、及びこの化粧カバーを用いた保護カバーの配設構造に関するものである。
【背景技術】
【０００２】
建物の内外装の壁面や床面等の構築面に沿って配線・配管材を配設する場合、構築面に固定される基台とこの基台に装着される蓋体とを具備してなる保護カバーを用いて、この保護カバーに配線・配管材を収容して保護することが一般的に行なわれている。なお、本書において「配線・配管材」とは、配線材や配管材を包含して表すものであり、配線材としては、電力線、通信線等を代表的に例示することができ、配管材としては、電力線や通信線を挿通させる電線管、空調設備の冷媒管やドレイン管、通水管等を代表的に例示することができる。
【０００３】
ところで、保護カバーは、長尺状に形成されており、保護カバーを構築面に配設する際には、長尺状の保護カバーを適宜長さに切断して使用するのであるが、一本の保護カバーでは長さが足りない場合、複数の保護カバーを長さ方向に連設している。また、端材を有効利用するために、複数の保護カバーを連設する場合もある。ここで、蓋体は、保護カバーの前面に位置するものであり、隣り合う蓋体に隙間があると、美観を損なう。一方で、隣り合う蓋体に隙間が生じないように正確に切断することは施工作業上困難であり、また、隣り合う蓋体が僅かにでも重なると、基台に蓋体を安定して組み付けることができなくなる。更に、夏場の熱膨張も加味しなければならない。そのようなことから、通常、意図的にある程度の隙間が生じるように蓋体の長さを設定している。
【０００４】
このような二つの蓋体の隙間については、図９に示すように、構築面に配設された保護カバー１００において、基台１０１に組み付けられるとともに長さ方向に連設された蓋体１０２について、隣り合う二つの蓋体１０２の隙間１０２Ｓをカバー１０３によって隠蔽することが従来より行なわれており、例えば非特許文献１のようなカバーが知られている。
【先行技術文献】
【非特許文献】
【０００５】
【非特許文献１】平成２５年３月２１日  未来工業株式会社発行「電材カタログ２０１３−２０１４」分冊２の３６頁に掲載の「プラスチックダクト用  連結カバー」
【発明の概要】
【発明が解決しようとする課題】
【０００６】
図９に示すようなカバー１０３は、接着剤によって蓋体１０２に装着するものであるが、接着剤によってカバー１０３を蓋体１０２に装着すると、接着剤を用いなければならない分保護カバー１００の配設作業が煩雑となる。また、カバー１０３を隣り合う蓋体１０２の双方に堅固に接着してしまうと、配線・配管材の保守点検、追加や修正を行なう作業において、蓋体１０２やカバー１０３を破壊しなければならない場合がある。
【０００７】
なお、接着以外に、蓋体１０２にカバー１０３を嵌め込みによって組み付けたり、接着力の弱い両面粘着テープを用いて組み付けることもできるが、その場合、カバー１０３は、堅固な取付けを実現できず、前面側から離そうとする方向の外力が加わることによって不用意に外れてしまう虞がある。
【０００８】
本発明は、上記実情を鑑みてなされたものであり、蓋体に簡単に取付けることができるとともに、接着剤等を使用しなくても強固に蓋体に取り付けられて外力が作用しても外れることのない化粧カバー、及び保護カバーの配設構造の提供を課題とする。
【課題を解決するための手段】
【０００９】
本発明に係る化粧カバーは、基台と蓋体とからなり複数の該蓋体が長さ方向に連設され内部に配線・配管材を収容して保護する保護カバーを用いた該配線・配管材の配設路において、長さ方向に隣り合う二つの該蓋体の端部間の隙間を隠蔽するものであって、前記二つの蓋体の互いに近接する側の端部間及びそれら両端部の外面を覆うカバー本体と、該カバー本体の裏面に設けられ、前記蓋体の端部に長さ方向から掛け止めされて該蓋体の端部を前記カバー本体とで挟持する掛止部と、を備えたものである。
【００１０】
なお、前記掛止部は、幅方向の中央部において突出する凸形状に形成されたものとしてもよい。
【００１１】
本発明に係る保護カバーの配設構造は、基台と蓋体とからなり内部に配線・配管材を収容して保護するものであって、複数の前記蓋体が長さ方向に連設され、長さ方向に隣り合う二つの前記蓋体の端部間に、請求項１乃至請求項３のいずれかに記載の化粧カバーが取着されたものである。
【００１２】
なお、前記二つの蓋体の隙間の間隔を、前記化粧カバーの掛止部の長さ方向の寸法よりも小さいものとしてもよい。
また、複数の前記基台が長さ方向に連設されており、該基台の連設部の継ぎ目と前記蓋体の連設部の継ぎ目とが長さ方向において異なる部位に配置されたものとしてもよい。
【００１３】
保護カバーの蓋体の端部は、カバー本体と掛止部とで挟持されるため、化粧カバーを端部に取着した蓋体を傾けたり、化粧カバーに少々の外力を加えたりしても、化粧カバーは蓋体から簡単には外れず、蓋体に対する化粧カバーの安定した取付状態が維持される。すなわち、保護カバーの施工に際して蓋体を取り扱うときに、化粧カバーを上側の蓋体の下側端部に取り付けたり、水平方向に連設される蓋体の一方の端部に取り付けることもあり得るが、そのようなとき、化粧カバーが自重により移動しないような押圧力で蓋体に取り付けられていれば、蓋体の取り扱い途中に化粧カバーが蓋体から自然落下してしまうのを防止することができる。
【００１４】
なお、化粧カバーにおいて、掛止部を、幅方向の中央部において突出する凸形状とすると、次のような効果が得られる。すなわち、掛止部を蓋体の端部に掛け止めるに際しては、蓋体の端部が掛止部の掛止空間に、まず、掛止部の中央部分から差入れられることになる。そして、蓋体に対して化粧カバーを掛け止め方向に移動させるに従って、掛止部への蓋体の端部の差入れが、順次、掛止部の中央部分から全幅に渡って進行し、最終的に、全幅に渡る差入れにより蓋体の端部への掛止部の掛け止めが完了する。よって、蓋体に対して化粧カバーが幅方向や厚さ方向に多少ずれた状態であっても、掛止部の端側の端面が蓋体の端面に突き当たるなどして蓋体に対する化粧カバーの移動が阻止されるという不具合が生じ難い。したがって、蓋体に対して化粧カバーを円滑に組み付けることができる。
【００１５】
更に、保護カバーの配設構造において、長さ方向に隣り合う二つの蓋体の隙間が掛止部の長さよりも小さい寸法とすると、次のような効果が得られる。すなわち、一方の蓋体に装着された化粧カバーが、掛止部の掛け止めが解除されるまで移動しようとしても、この移動は他方の蓋体によって確実に阻止される。よって、二つの蓋体の一方を基台から取外したり、化粧カバーを破壊したりしない限り、化粧カバーは外れることがない。
【００１６】
また、保護カバーの配設構造において、複数の基台が長さ方向に連設されており、該基台の連設部の継ぎ目と蓋体の連設部の継ぎ目とが異なる部位に配置されたものとすると、次のような効果が得られる。すなわち、基台の継ぎ目の配置部位と蓋体の継ぎ目の配置部位とを異ならせることで、複数の保護カバーが連設された配設構造全体において、基台の継ぎ目と蓋体の継ぎ目とが合致する場合に比して、強度が大きく低下するのを防止できる。また、基台の継ぎ目に当然の如く生じる隙間と蓋体の継ぎ目に当然の如く生じる隙間とが合致しないため、基台の継ぎ目の隙間と蓋体の継ぎ目の隙間とが合わさって大きな隙間が形成されることがなく、このような大きな隙間からゴミ等の異物が侵入するのを防止できる。
【発明の効果】
【００１７】
以上のように、本発明によれば、化粧カバーを蓋体に簡単に取り付けることができるとともに、接着剤等を使用することなく強固に蓋体に取り付けることができ、化粧カバーは外力が作用しても外れることがない。
【図面の簡単な説明】
【００１８】
【図１】本発明に係る化粧カバーの一例を示す図面であり、（ａ）は正面から見た斜視図、（ｂ）は背面から見た斜視図である。
【図２】図１の化粧カバーを示し、（ａ）は背面図、（ｂ）は底面図、（ｃ）は（ｂ）におけるＡ部拡大図である。
【図３】蓋体に化粧カバーを装着した状態を示し、（ａ）は平面図、（ｂ）は（ａ）におけるＢ−Ｂ切断線による断面図である。
【図４】化粧カバーを蓋体に装着する状態を示す斜視図である。
【図５】端部に化粧カバーが装着された蓋体を基台に装着する状態を示す斜視図である。
【図６】本発明に係る保護カバーの配設構造の一例を示し、（ａ）は斜視図、（ｂ）は（ａ）におけるＣ−Ｃ切断線による拡大端面図である。
【図７】図１に示した化粧カバーにおける別の掛止部を示す断面図である。
【図８】図１に示した化粧カバーにおける更に別の掛止部を示す断面図である。
【図９】従来の保護カバーの配設構造を示す斜視図である。
【発明を実施するための形態】
【００１９】
本発明に係る化粧カバー、及び保護カバーの配設構造の実施形態としての一例を説明する。
【００２０】
図１及び図２に示すように、化粧カバー１０は、カバー本体１１と、このカバー本体１１の裏面にフック状に設けられた掛止部１２とを具備するものであり、合成樹脂材によって全体が一体に形成されている。そして、この化粧カバー１０は、図４に示すように、内部に配線・配管材を収容して保護する保護カバー２０の蓋体２５の端部に組み付けられるものであり、図６に示すように、長さ方向に連設された蓋体２５において、隣り合う二つの蓋体２５の互いに近接する側の端部間の隙間２５Ｓを隠蔽するものである。
【００２１】
以下、この化粧カバー１０の構成を具体的に説明する。図１〜３に示すように、化粧カバー１０のカバー本体１１は、取り付けられる蓋体２５よりも一回り大きな断面形状に形成されており、長さ方向に連設された二つの蓋体２５において、互いに合い向かう端部の夫々を覆うものとして構成されている。そして、カバー本体１１の表面は、蓋体２５の表面に倣って、僅かに湾曲して略相似する平坦な形状に形成されている。また、カバー本体１１の両側部は、蓋体２５の両側を抱えるように蓋体２５の両側に倣った形状に形成されている。
【００２２】
更に、化粧カバー１０の掛止部１２が蓋体２５の端部に長さ方向に掛け止められるものであることから、カバー本体１１の表面には、掛け止め方向を示す方向指標１３が設けられている。ここで、本例では、方向指標１３として、カバー本体１１の表面に０．２ｍｍ程度の僅かな高さで凸設された三角マークを採用しているが、これに限らず、凸設、凹設や印刷等による矢印や注意書きを採用することもできる。更に、カバー本体１１の両側部には、蓋体２５に対して移動させる際に指を引っ掛けて移動させ易くするための指掛け部１４が設けられている。
【００２３】
掛止部１２は、カバー本体１１の裏面からフック状に延出しており、カバー本体１１の幅方向において、略１／２を占めるものであるが、カバー本体１１との接続部である基端部の中央部分に切欠き１５を有し、撓み易い形状となっている。また、掛止部１２は、図２（ａ）に示すように、先端が幅方向の中央部において外方に突出する凸形状に形成されている。より具体的には、本例では、掛止部１２が、中央部において外方に膨出する円弧状に形成されている。なお、掛止部１２の凸形状については、本例に限らず、先端が鈍角または鋭角の三角形状、先端がＲ状の三角形状、台形状等も採用することができる。
【００２４】
掛止部１２には、図２（ｃ）に示すように、カバー本体１１と対向する面に、押圧凸部１６が設けられている。この押圧凸部１６は、図３に示すように、蓋体２５の端部に化粧カバー１０の掛止部１２を掛け止めて蓋体２５に化粧カバー１０を装着した状態で、掛止部１２の弾性復元力によって蓋体２５を押圧し、蓋体２５をカバー本体１１と掛止部１２とで挟持固定することで、蓋体２５への化粧カバー１０の装着状態を良好に維持するものとなっている。具体的には、押圧凸部１６とカバー本体１１との間隔は、蓋体２５の厚みより僅かに小さく形成されており、蓋体２５をカバー本体１１と掛止部１２との隙間内に強制的に挿入することでその隙間が弾性的に押し広げられ、掛止部１２の弾性復帰力によって蓋体２５は挟持されるようになっている。
【００２５】
なお、本例では、押圧凸部１６は、断面が緩やかな円弧状でその頂点が０．２ｍｍ程度僅かに突出するものとして、図２（ａ）に示すように、掛止部１２の幅方向の中央部に長さ方向全長に渡って設けてあるが、これに限らず、断面三角形状や断面矩形状のものとしてもよい。また、押圧凸部１６は、掛止部１２の幅方向に沿って設けたり、適宜の部位に点状に設けたりしてもよいが、本例の如く、掛止部１２の少なくとも先端部分に設けるのがよい。その理由は、掛止部１２の先端部分に押圧凸部１６が設けられていれば、蓋体２５の端部に掛止部１２を掛け止めした状態において、浅く掛け止めした状態でも深く掛け止めした状態でも、押圧凸部１６による押圧効果が得られるからである。
【００２６】
また、本例では、押圧凸部１６を、カバー本体１１と掛止部１２との対向面において、掛止部１２側の面に設けてあるが、カバー本体１１側の面に設けてもよく、掛止部１２側の面及びカバー本体１１側の面の双方に設けてもよい。
【００２７】
次に、図４〜６に基づいて、本例の化粧カバー１０を用いた保護カバー２０の配設構造を説明する。
【００２８】
図４に示すように、保護カバー２０は、直状に形成され、建物の内外装の壁面や床面等の図示しない構築面の配線・配管材の配設路に沿って固定された基台２１と、この基台２１に装着される蓋体２５とを備え、基台２１に蓋体２５を組み付けることで、配線・配管材の収容空間２０Ｓが形成されるものである。
【００２９】
なお、本例の保護カバー２０では、基台２１を、構築面に固定される底板部２２と、底板部２２の両側に立設された立壁部２３とを有し、前面側が開口する断面略コ字状に形成されたものとしてある。そして、蓋体２５については、基台２１の前面側の開口を塞ぐように基台２１に装着されるものとしてある。また、基台２１の立壁部２３の上部には、長さ方向に沿って溝部２４が設けられており、蓋体２５の両側部には、長さ方向に沿って基台２１の溝部２４に係止される係止片２６が設けられている。基台２１への蓋体２５の組み付けにあたっては、蓋体２５を基台２１の開口を塞ぐように配置して基台２１の前面から押付けると、蓋体２５が撓んで蓋体２５の係止片２６が基台２１の溝部２４に係止され、もって、蓋体２５が基台２１に嵌着される。一方、基台２１から蓋体２５を取外す場合には、基台２１の前面方向に蓋体２５を引き剥がすことで、基台２１の溝部２４と蓋体２５の係止片２６との係止が解除されて、基台２１から蓋体２５を分離することができる。
【００３０】
また、本例では、複数の保護カバー２０を連設しているのであるが、図４〜６に示すように、基台２１の連設部の継ぎ目２１Ｔと蓋体２５の連設部の継ぎ目２５Ｔとが異なる部位に配置されている。これにより、複数の保護カバー２０を連設した場合に、連設部によって全体の強度が大きく低下するのが防止される。また、施工作業の点や夏場の熱膨張を考慮する点などから基台２１の継ぎ目２１Ｔには隙間が生じ、蓋体２５の継ぎ目２５Ｔにも隙間が生じるのであるが、基台２１の継ぎ目２１Ｔと蓋体２５の継ぎ目２５Ｔとが異なる部位に配置されていることから、基台２１の継ぎ目２１Ｔの隙間と蓋体２５の継ぎ目２５Ｔの隙間２５Ｓとは合致しない。よって、連設された複数の保護カバー２０全体において、基台２１の継ぎ目２１Ｔと蓋体２５の継ぎ目２５Ｔとで大きな隙間が形成されることはなく、大きな隙間から保護カバー２０の内部にゴミ等の異物が侵入するのを防止することができる。
【００３１】
次に、基台２１への蓋体２５の組み付け、及び長さ方向に隣り合う二つの蓋体２５の端部間への化粧カバー１０の取り付けについて説明する。配線・配管材の配設作業に際しては、全ての蓋体２５を基台２１から取り外して収容空間２０Ｓに配線・配管材を収容させた後、基台２１に複数の蓋体２５を順次装着するのであるが、このとき、後から装着する蓋体２５の端部に化粧カバー１０を予め取付けておく。ここで、化粧カバー１０の取付けにあたっては、図４の矢印Ｄで示すように、化粧カバー１０の掛止部１２を蓋体２５の端部に長さ方向から掛け止めするようにして蓋体２５に対して化粧カバー１０を移動させる。この蓋体２５への化粧カバー１０の取付けに際しては、掛止部１２の形状が、幅方向の中央部において突出する凸形状となっているため、蓋体２５の端部を掛止部１２の掛止空間に円滑に差入れることができる。
【００３２】
また、蓋体２５の端部に化粧カバー１０を取付けた状態では、蓋体２５は押圧凸部１６を備えた掛止部１２とカバー本体１１とで弾性的に挟持されるため、蓋体２５への化粧カバー１０の取付け状態は良好に維持される。ここで、押圧凸部１６の押圧による挟持力については、化粧カバー１０が取付けられた蓋体２５を取り扱う際に、化粧カバー１０が図５の場合とは逆に上側の蓋体２５の下側端部に取り付けられたり、蓋体２５が水平方向に連設される場合であっても、化粧カバー１０が自重により移動しない程度以上の押圧力、挟持力が得られるようにするのが好ましい。保護カバー２０の施工に際して蓋体２５を取り扱うときに、化粧カバー１０を図５の上側の蓋体２５の下側端部に取り付けたり、水平方向に連設される蓋体２５の一方の端部に取り付けることもあり得るが、そのようなとき、化粧カバー１０が自重により移動しないような押圧力、挟持力で蓋体２５が挟持されていれば、蓋体２５の取り扱い途中に化粧カバー１０が蓋体２５から自然落下するのを防止できるからである。
【００３３】
次に、図５の矢印Ｅで示すように、化粧カバー１０が取付けられた蓋体２５を基台２１の前面側から押付けて基台２１に装着する。すると、図６（ａ）に示すように、基台２１への蓋体２５の組み付けが完了し、同時に化粧カバー１０も長さ方向に隣り合う二つの蓋体２５の端部間への取り付けが完了する。これにより、後から組み付けられた蓋体２５に予め取付けられた化粧カバー１０によって、先に組み付けられた蓋体２５の端部が隠蔽されて、長さ方向に隣り合う二つの蓋体２５の隙間２５Ｓが隠蔽される。
【００３４】
ここで、化粧カバー１０が蓋体２５間に一旦組み付けられた状態においては、化粧カバー１０は先に組み付けられた蓋体２５によって掛け止め方向即ち挿入方向とは逆方向の移動が阻止される。したがって、２つの蓋体２５がそれぞれ基台２１に組み付けられた状態においては、化粧カバー１０は不用意に外れることはない。なお、本例では、更に、図６（ｂ）に示すように、化粧カバー１０の掛止部１２の長さよりも、隣り合う二つの蓋体２５の隙間２５Ｓの間隔を小さくしてあるから、化粧カバー１０を取り付けた蓋体２５を基台２１に装着した後には、先に装着した蓋体２５の端面によって、掛止部１２の掛け止めが解除されるほどの化粧カバー１０の移動は阻止され、化粧カバー１０を蓋体２５から取外すことができない構造となっている。
【００３５】
また、本例では、保護カバー２０は縦方向に連設されており、連設する複数の蓋体２５において下側の蓋体２５の上端部に化粧カバー１０が取付けられている。よって、化粧カバー１０が自重によって蓋体２５から外れる方向に移動するのが防止される。そして、このように下側の蓋体２５の上端部に化粧カバー１０を取付けることで、たとえ隣り合う二つの蓋体２５の間隔が掛止部１２の長さより大きい場合であっても、化粧カバー１０が自重により移動して蓋体２５から不用意に外れるのが防止される。
【００３６】
なお、保護カバー１０を縦方向や横方向等、適宜の方向に連設する場合において、隣り合う二つの蓋体２５の隙間の間隔を化粧カバー１０の掛止部１２の長さよりも意図的に大きくすることも有効である。その理由は、隣り合う二つの蓋体２５を基台２１に装着した後であっても、二つの蓋体２５の隙間２５Ｓに掛止部１２を差入れて化粧カバー１０をスライド移動させることにより、一方の蓋体２５に化粧カバー１０を装着することができるからである。また、基台２１に二つの蓋体２５を装着したままで化粧カバー１０を取外すこともできるからである。なお、このような態様においても、蓋体２５に一旦取付けた化粧カバー１０を取り外すには、蓋体２５に対して化粧カバー１０を保護カバー２０の長さ方向に移動させた上で、二つの蓋体２５の隙間２５Ｓから掛止部１２が通過するようにして、化粧カバー１０を保護カバー２０の前面方向に移動させるという異なる二つの方向への操作が必要となる。このため、従来、蓋体に化粧カバーを単に一方向から嵌め込んだり、接着力が弱い両面粘着テープで蓋体に化粧カバーを取付けたりした場合に比して、化粧カバー１０を外れ難くすることができる。
【００３７】
ところで、上記実施形態では、化粧カバー１０の掛止部１２は、カバー本体１１の裏面に１個設けられているが、図７（ａ）に示すように、挿入開口が互いに反対向きとなる２個の掛止部１２を設けることもできる。この場合は、掛止部１２はいずれか一方の蓋体２５の端部に掛け止めされるのではなく、隣り合う二つの蓋体２５の端部に掛け止めされることになる。これにより、掛止部１２は隣り合う二つの蓋体２５の端部にバランス良くより安定して両端部間の隙間２５Ｓに組み付けることができる。
【００３８】
なお、この場合の化粧カバー１０の組み付けは、掛止部１２をいずれか一方の蓋体２５の端部に掛止させて組み付けた後、これらを他方の蓋体２５の端部に向けて一体に移動することにより行なうことができる。或いは、化粧カバー１０を隣り合う二つの蓋体２５に組み付けてからこれらを一体に基台２１に向けてそのまま前方から押し付けて該基台２１に嵌着することにより行なうこともできる。
【００３９】
また、化粧カバー１０の掛止部１２は、図７（ｂ）に示すように、挿入開口が互いに反対向きとなる１個の略Ｔ字状に形成したもの、すなわち、図７（ａ）に示した２個の掛止部１２を１つに合体したような形状に形成したものとすることもできる。この場合も上記２個の掛止部１２を設けたものと同様にして蓋体２５に組み付けることができるし、同様の効果を得ることができる。
【００４０】
以上、本発明に係る化粧カバー、及び保護カバーの配設構造を例示したが、本発明は、上述の例に限らず、本発明の要旨を逸脱しない範囲で適宜の変更が可能である。
【００４１】
例えば、本発明を、上述の例の如く、断面略コ字状の基台２１の前面の開口に蓋体２５を装着してなる保護カバー２０に適用するに限らず、平板状に形成された基台２１に、断面略コ字状や断面略円弧状の蓋体２５を、基台２１を覆うようにして装着してなる保護カバー２０に適用してもよい。そして、この場合、化粧カバー１０の掛止部１２は、断面略コ字状等の蓋体２５において保護カバー２０が取り付けられる配設面に向かって延びるような両側面部分に掛け止めできるようにしてもよく、蓋体２５の天板部分と前記両側面部分との双方に掛け止めできるようにしてもよい。
【００４２】
また、上記実施形態では、カバー本体１１と掛止部１２との対向面に押圧凸部１６を設けて、蓋体２５をカバー本体１１と掛止部１２とで弾性的に挟持し組付状態を良好に維持しているが、図８に示すように、掛止部１２を、カバー本体１１に対して隙間の奥側に向かうに従って徐々に狭くなるように僅かに傾斜し、奥側の隙間は蓋体２５の厚みより小さく形成されて、蓋体２５の端部が挿入されるとその隙間が押し広げられるものとし、掛止部１２のテーパ面とカバー本体１１とで蓋体２５の端部を弾性的に挟持するものとしてもよい。この形態の場合は、掛止部１２の先端部とカバー本体１１との間の開口が大きいので、その開口に蓋体２５の端部を挿入し易いし、その一方で、掛止部１２の先端部とカバー本体１１との間の空間は奥方に向かうに従って徐々に狭くなるので、掛止部１２のテーパ面とカバー本体１１とによる挟持力を大きくすることができる。
【００４３】
また、図８の掛止部１２の態様においては、掛止部１２は逆に先端の挿入開口側が狭くなるように傾斜するものとしてもよい。更に、掛止部１２は、カバー本体１１の幅方向において連続して形成されているが、幅方向において２以上の複数に分断して形成されたものとしてもよい。掛止部１２は、要するところ、保護カバー２０の蓋体２５の端部に取着されることによってその端部が挿入される空間が押し広げられるように弾性変形し原形状への復元力によってカバー本体１１とで蓋体２５の端部を挟持するように形成されていれば如何なるものであってもよい。
【００４４】
加えて、カバー本体１１は、蓋体２５の表面に倣った略相似形状に形成されているが、それに限られるものではなく、幅方向の両端が蓋体２５の幅方向の端部を超えて基台２１の底板部２２付近にまで延びて基台２１をも覆うようなものであってもよい。
【００４５】
更に、本発明の化粧カバー１０は、上述の例の如く、直状の保護カバー２０を連設する場合に限らず、９０°や４５°等、所定の角度で曲げられた配線・配管材の曲がり部を収容保護する曲がり部用保護カバーを直状保護カバーに連設する場合や、曲がり部用保護カバー同士を連設する場合にも、同様に適用することができる。
【符号の説明】
【００４６】
１０  化粧カバー
１１  カバー本体
１２  掛止部
１６  押圧凸部
２０  保護カバー
２１  基台
２１Ｔ  継ぎ目
２５  蓋体
２５Ｔ  継ぎ目
【図１】
2015148327.tif 000003
【図２】
2015148327.tif 000004
【図３】
2015148327.tif 000005
【図４】
2015148327.tif 000006
【図５】
2015148327.tif 000007
【図６】
2015148327.tif 000008
【図７】
2015148327.tif 000009
【図８】
2015148327.tif 000010
【図９】
2015148327.tif 000011